(57)【特許請求の範囲】
【請求項１】
トランスポート・ストリームまたはパケッタイズ・エレメンタリ・ストリームの供給を受け、供給されたストリームが前記トランスポート・ストリームである場合、供給された前記トランスポート・ストリームからトランスポート・ストリーム・パケットを抽出してエレメンタリ・ストリームを再構成し、供給されたストリームが前記パケッタイズ・エレメンタリ・ストリームである場合、供給された前記パケッタイズ・エレメンタリ・ストリームからパケッタイズ・エレメンタリ・ストリーム・パケットを抽出してエレメンタリ・ストリームを再構成する構成手段と、
前記構成手段で再構成されたエレメンタリ・ストリームをプログラム毎に分けて一時的に記憶する第１の記憶手段と、
前記第１の記憶手段に記憶されているエレメンタリ・ストリームを必要に応じて読み出し、復号化する復号化手段と、
前記復号化手段で復号化された画像データをプログラム毎に分けて記憶する第２の記憶手段と、
前記第２の記憶手段に記憶されている画像データを表示形態に応じて選択し、出力する出力選択手段と
を備えることを特徴とするデジタル画像復号装置。
【請求項２】
前記構成手段は、複数のエレメンタリ・ストリームを再構成する
ことを特徴とする請求項１に記載のデジタル画像復号装置。
【請求項３】
前記出力選択手段は、画像データをフレーム単位、フィールド単位、又はマクロブロック単位で出力する
ことを特徴とする請求項１に記載のデジタル画像復号装置。
【請求項４】
トランスポート・ストリームまたはパケッタイズ・エレメンタリ・ストリームの供給を受け、供給されたストリームが前記トランスポート・ストリームである場合、供給された前記トランスポート・ストリームからトランスポート・ストリーム・パケットを抽出してエレメンタリ・ストリームを再構成し、供給されたストリームが前記パケッタイズ・エレメンタリ・ストリームである場合、供給された前記パケッタイズ・エレメンタリ・ストリームからパケッタイズ・エレメンタリ・ストリーム・パケットを抽出してエレメンタリ・ストリームを再構成する構成ステップと、
前記構成ステップで再構成されたエレメンタリ・ストリームをプログラム毎に分けて一時的に記憶する第１の記憶ステップと、
前記第１の記憶ステップで記憶されているエレメンタリ・ストリームを必要に応じて読み出し、復号化する復号化ステップと、
前記復号化ステップで復号化された画像データをプログラム毎に分けて記憶する第２の記憶ステップと、
前記第２の記憶ステップで記憶されている画像データを表示形態に応じて選択し、出力する出力選択ステップと
を含むことを特徴とするデジタル画像復号方法。
【請求項５】
トランスポート・ストリームまたはパケッタイズ・エレメンタリ・ストリームの供給を受け、供給されたストリームが前記トランスポート・ストリームである場合、供給された前記トランスポート・ストリームからトランスポート・ストリーム・パケットを抽出してエレメンタリ・ストリームを再構成し、供給されたストリームが前記パケッタイズ・エレメンタリ・ストリームである場合、供給された前記パケッタイズ・エレメンタリ・ストリームからパケッタイズ・エレメンタリ・ストリーム・パケットを抽出してエレメンタリ・ストリームを再構成する構成ステップと、
前記構成ステップで再構成されたエレメンタリ・ストリームをプログラム毎に分けて一時的に記憶する第１の記憶ステップと、
前記第１の記憶ステップで記憶されているエレメンタリ・ストリームを必要に応じて読み出し、復号化する復号化ステップと、
前記復号化ステップで復号化された画像データをプログラム毎に分けて記憶する第２の記憶ステップと、
前記第２の記憶ステップで記憶されている画像データを表示形態に応じて選択し、出力する出力選択ステップと
を含む処理をデジタル画像復号装置に実行させるプログラムが記録されている記録媒体。
【発明の詳細な説明】
【０００１】
【発明の属する技術分野】
本発明は、デジタル画像復号装置及び方法、並びに記録媒体に関し、特に、複数のフォーマットのデータ・ストリームを入力できるようにしたデジタル画像復号装置及び方法、並びに記録媒体に関する。
【０００２】
【従来の技術】
図８は、MPEG２（Moving Picture Experts Group ２）のデータ・ストリームの３つのフォーマットを示している。エレメンタリ・ストリーム（ビデオデータ、オーディオデータ等）は、いくつかのPES（Packetized Elementary Stream）パケットに分割される。PESパケットは、更にいくつかのＴＳ（Transport Stream）パケットに分割される。ＴＳパケットは、ヘッダとペイロードから構成されており、ヘッダにはＴＳパケットの識別情報であるPID（Packet Identifier）が収容されている。このPIDを用いて、トランスポート・ストリームのデータの識別が行われる。
【０００３】
従来のデジタル画像復号装置においては、上述の３つのフォーマットのうち、エレメンタリ・ストリームのみが入力処理可能であった。
【０００４】
【発明が解決しようとする課題】
従来のデジタル画像復号装置は、エレメンタリ・ストリーム（ＥＳ）を入力することは可能であるが、トランスポート・ストリーム（ＴＳ）及びパケッタイズ・エレメンタリ・ストリーム（PES）を、そのまま入力することはできないという課題があった。
【０００５】
また、従来のデジタル画像復号装置は、複数のＥＳを入力処理することができないという課題があった。
【０００６】
さらに、従来のデジタル画像復号装置は、復号化した画像データを表示装置に対応したフォーマットで出力することができないという課題があった。
【０００７】
本発明は、このような状況に鑑みてなされたものであり、複数のＥＳ及び複数のフォーマットのデータ・ストリームを入力処理できるようにするものである。
【０００８】
【課題を解決するための手段】
請求項１に記載のデジタル画像復号装置は、トランスポート・ストリームまたはパケッタイズ・エレメンタリ・ストリームの供給を受け、供給されたストリームがトランスポート・ストリームである場合、供給されたトランスポート・ストリームからトランスポート・ストリーム・パケットを抽出してエレメンタリ・ストリームを再構成し、供給されたストリームがパケッタイズ・エレメンタリ・ストリームである場合、供給されたパケッタイズ・エレメンタリ・ストリームからパケッタイズ・エレメンタリ・ストリーム・パケットを抽出してエレメンタリ・ストリームを再構成する構成手段と、構成手段で再構成されたエレメンタリ・ストリームをプログラム毎に分けて一時的に記憶する第１の記憶手段と、第１の記憶手段に記憶されているエレメンタリ・ストリームを必要に応じて読み出し、復号化する復号化手段と、復号化手段で復号化された画像データをプログラム毎に分けて記憶する第２の記憶手段と、第２の記憶手段に記憶されている画像データを表示形態に応じて選択し、出力する出力選択手段とを備えることを特徴とする。
【０００９】
請求項４に記載のデジタル画像復号方法は、トランスポート・ストリームまたはパケッタイズ・エレメンタリ・ストリームの供給を受け、供給されたストリームがトランスポート・ストリームである場合、供給されたトランスポート・ストリームからトランスポート・ストリーム・パケットを抽出してエレメンタリ・ストリームを再構成し、供給されたストリームがパケッタイズ・エレメンタリ・ストリームである場合、供給されたパケッタイズ・エレメンタリ・ストリームからパケッタイズ・エレメンタリ・ストリーム・パケットを抽出してエレメンタリ・ストリームを再構成する構成ステップと、構成ステップで再構成されたエレメンタリ・ストリームをプログラム毎に分けて一時的に記憶する第１の記憶ステップと、第１の記憶ステップで記憶されているエレメンタリ・ストリームを必要に応じて読み出し、復号化する復号化ステップと、復号化ステップで復号化された画像データをプログラム毎に分けて記憶する第２の記憶ステップと、第２の記憶ステップで記憶されている画像データを表示形態に応じて選択し、出力する出力選択ステップとを含むことを特徴とする。
【００１０】
請求項５に記載の記録媒体は、トランスポート・ストリームまたはパケッタイズ・エレメンタリ・ストリームの供給を受け、供給されたストリームがトランスポート・ストリームである場合、供給されたトランスポート・ストリームからトランスポート・ストリーム・パケットを抽出してエレメンタリ・ストリームを再構成し、供給されたストリームがパケッタイズ・エレメンタリ・ストリームである場合、供給されたパケッタイズ・エレメンタリ・ストリームからパケッタイズ・エレメンタリ・ストリーム・パケットを抽出してエレメンタリ・ストリームを再構成する構成ステップと、構成ステップで再構成されたエレメンタリ・ストリームをプログラム毎に分けて一時的に記憶する第１の記憶ステップと、第１の記憶ステップで記憶されているエレメンタリ・ストリームを必要に応じて読み出し、復号化する復号化ステップと、復号化ステップで復号化された画像データをプログラム毎に分けて記憶する第２の記憶ステップと、第２の記憶ステップで記憶されている画像データを表示形態に応じて選択し、出力する出力選択ステップとを含む処理をデジタル画像復号装置に実行させるプログラムを提供することを特徴とする。
【００１１】
請求項１に記載のデジタル画像復号装置においては、構成手段が、トランスポート・ストリームまたはパケッタイズ・エレメンタリ・ストリームの供給を受け、供給されたストリームがトランスポート・ストリームである場合、供給されたトランスポート・ストリームからトランスポート・ストリーム・パケットを抽出してエレメンタリ・ストリームを再構成し、供給されたストリームがパケッタイズ・エレメンタリ・ストリームである場合、供給されたパケッタイズ・エレメンタリ・ストリームからパケッタイズ・エレメンタリ・ストリーム・パケットを抽出してエレメンタリ・ストリームを再構成し、第１の記憶手段が、構成手段で再構成されたエレメンタリ・ストリームをプログラム毎に分けて一時的に記憶し、復号化手段が、第１の記憶手段に記憶されているエレメンタリ・ストリームを必要に応じて読み出し、復号化し、第２の記憶手段が、復号化手段で復号化された画像データをプログラム毎に分けて記憶し、出力選択手段が、第２の記憶手段に記憶されている画像データを表示形態に応じて選択し、出力する。
【００１２】
請求項４に記載のデジタル画像復号方法及び請求項５に記載の記録媒体においては、構成ステップで、トランスポート・ストリームまたはパケッタイズ・エレメンタリ・ストリームの供給を受け、供給されたストリームがトランスポート・ストリームである場合、供給されたトランスポート・ストリームからトランスポート・ストリーム・パケットを抽出してエレメンタリ・ストリームを再構成し、供給されたストリームがパケッタイズ・エレメンタリ・ストリームである場合、供給されたパケッタイズ・エレメンタリ・ストリームからパケッタイズ・エレメンタリ・ストリーム・パケットを抽出してエレメンタリ・ストリームを再構成し、第１の記憶ステップで、構成ステップで再構成されたエレメンタリ・ストリームをプログラム毎に分けて一時的に記憶し、復号化ステップで、第１の記憶ステップで記憶されているエレメンタリ・ストリームを必要に応じて読み出し、復号化し、第２の記憶ステップで、復号化ステップで復号化された画像データをプログラム毎に分けて記憶し、出力選択ステップで、第２の記憶ステップで記憶されている画像データを表示形態に応じて選択し、出力する。
【００１３】
【発明の実施の形態】
以下に本発明の実施の形態を説明するが、特許請求の範囲に記載の発明の各手段と、以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１４】
即ち、請求項１に記載のデジタル画像復号装置は、トランスポート・ストリームまたはパケッタイズ・エレメンタリ・ストリームの供給を受け、供給されたストリームがトランスポート・ストリームである場合、供給されたトランスポート・ストリームからトランスポート・ストリーム・パケットを抽出してエレメンタリ・ストリームを再構成し、供給されたストリームがパケッタイズ・エレメンタリ・ストリームである場合、供給されたパケッタイズ・エレメンタリ・ストリームからパケッタイズ・エレメンタリ・ストリーム・パケットを抽出してエレメンタリ・ストリームを再構成する構成手段（例えば、図２に示すＴＳパーサ２４及びPESパーサ２５）と、構成手段で再構成されたエレメンタリ・ストリームをプログラム毎に分けて一時的に記憶する第１の記憶手段（例えば、図２に示すセパレートＥＳバッファ２６）と、第１の記憶手段に記憶されているエレメンタリ・ストリームを必要に応じて読み出し、復号化する復号化手段（例えば、図２に示すデコーダ部２８）と、復号化手段で復号化された画像データをプログラム毎に分けて記憶する第２の記憶手段（例えば、図２に示すVRAM２９）と、第２の記憶手段に記憶されている画像データを表示形態に応じて選択し、出力する出力選択手段（例えば、図２に示す出力フォーマットセレクタ部３１）とを備えることを特徴とする。
【００１５】
図１は、本発明を適用したデジタル画像復号システムの一実施の形態の構成を示すブロック図である。マイクロプロセッサ１は、本システムを制御するものである。ROM２には、マイクロプロセッサ１のプログラムが記憶されている。マイクロプロセッサ１は、必要に応じて、RAM３にデータを書き込み、読み出す。
【００１６】
フロントエンド装置４は、図示せぬチューナ部、デジタル復調部、及び誤り訂正部から構成されている。アンテナで受信されたデジタル変調信号は、マイクロプロセッサ１の指示に従って、チューナ部で選局される。デジタル復調部は、供給されるデジタル信号を復調し、誤り訂正部に供給する。誤り訂正部は、供給されたデジタル信号に誤り訂正を施し、トランスポート・ストリーム（ＴＳ）を出力する。フロントエンド装置５は、フロントエンド装置４と同じ構成である。
【００１７】
デマルチプレクサ装置６は、供給されるＴＳからＴＳパケット、PESパケット、又はＥＳを分離し、出力するとともに、ビデオPIDも出力する。デマルチプレクサ装置６は、必要に応じてデータをRAM７に書き込み、読み出す。
【００１８】
デジタル画像復号装置８は、デマルチプレクサ装置６から供給されるＴＳパケット、PESパケット、又はＥＳから１又は複数のＥＳを再構成し、DTS（復号化開始時刻）に基づいて、復号化する。デジタル画像復号装置８は、必要に応じてデータをRAM９に書き込み、読み出す。また、デジタル画像復号装置８は、PTS（表示開始時刻）に基づいて、表示処理装置１０の要求するフォーマットで画像データを出力する。
【００１９】
表示処理装置１０は、供給された画像データのフォーマットをマイクロプロセッサ１の指示に従って、変換し、表示装置１１に供給する。表示装置１１は、供給された画像データを表示する。
【００２０】
図２は、本発明のデジタル画像復号装置８の第１の構成例を示すブロック図である。ＴＳ１が入力されると、デマルチプレクサ部２１は、ＴＳパケット（画像データ）と１又は複数のビデオPIDを分離し、デジタル画像復号装置８内のＴＳパーサ２４に供給する。ＴＳ２が入力されると、デマルチプレクサ部２２は、PESパケット（画像データ）と１又は複数のビデオPIDを分離し、デジタル画像復号装置８内のPESパーサ２５に供給する。ＴＳ３が入力されると、デマルチプレクサ部２３は、ＥＳ（画像データ）を分離し、デジタル画像復号装置８内のセパレートＥＳバッファ２６に供給するとともに、PTS（Presentation Time Stamp：表示開始時刻）及びDTS（Decoding Time Stamp：復号化開始時刻）を制御Ｉ／Ｆ部２７に供給する。
【００２１】
ＴＳパーサ２４は、ＴＳパケット及びビデオPIDが供給されると、制御Ｉ／Ｆ部２７の指示に従って、ビデオPIDから所定のＴＳパケットを抽出し、そのＴＳパケットから１又は複数のＥＳを再構成して出力する。ＴＳパーサ２４は、再構成したＥＳ（ＥＳ１）をセパレートＥＳバッファ２６に供給するとともに、PTS１とDTS１を制御Ｉ／Ｆ部２７に供給する。
【００２２】
PESパーサ２５は、PESパケット及びビデオPIDが供給されると、制御Ｉ／Ｆ部２７の指示に従って、ビデオPIDから所定のPESパケットを抽出し、そのPESパケットから１又は複数のＥＳを再構成して出力する。PESパーサ２５は、再構成したＥＳ（ＥＳ２）をセパレートＥＳバッファ２６に供給するとともに、PTS２とDTS２を制御Ｉ／Ｆ部２７に供給する。
【００２３】
セパレートＥＳバッファ２６は、ＴＳパーサ２４、PESパーサ２５、及びデマルチプレクサ部２３からＥＳが供給されると、制御Ｉ／Ｆ部２７の指示に従って、ＥＳをプログラム毎（ビデオPID毎）に分けて一時的に保持する。
【００２４】
デコーダ部２８は、制御Ｉ／Ｆ部２７の指示に従って、セパレートＥＳバッファ２６から所定のＥＳを読み出す。セパレートＥＳバッファ２６に複数のＥＳが保持されている場合は、DTSの早い順にＥＳを読み出す。読み出されたＥＳは、フレーム又はフィールド単位で復号化される。
【００２５】
VRAM  Ｉ／Ｆ部３０は、デコーダ部２８において復号化された画像データを、プログラム（番組）毎に分けて、VRAM２９に記憶させる。
【００２６】
出力フォーマットセレクタ部３１は、制御Ｉ／Ｆ部２７の指示に従って、VRAM２９に記憶されている画像データから所定の画像データを選択し、出力する。
【００２７】
また、出力フォーマットセレクタ部３１は、制御Ｉ／Ｆ部２７の指示に従って、VRAM２９に記憶されている画像データから１つのプログラムを選択し、１枚のＳＤ画像（図３（Ａ）参照）として、ＳＤ識別子とともに出力する。ＨＤ画像（図３（Ｂ）参照）を出力する場合も、ＳＤ画像と同様にＨＤ識別子とともに出力する。複数のＳＤプログラムを出力する場合、その中から最大４プログラムの同時刻のPTS（表示開始時刻）を持つ画像データを選択し、１枚のマルチＳＤ画像（図３（Ｃ）参照）として、マルチＳＤ識別子とともに出力する。
【００２８】
さらに、出力フォーマットセレクタ部３１は、画像データを表示装置１１（図１参照）に対応してフレーム単位、フィールド単位、又はマクロブロック（ＭＢ）単位で出力するとともに、フレーム識別子、フィールド識別子、又はマクロブロック識別子を出力する。
【００２９】
図４は、本発明のデジタル画像復号装置８の第２の構成例を示すブロック図である。第１の実施例では、ＴＳパケットとPESパケットを入力する際、ビデオPIDはそれぞれ別々に入力されていたが、第２の実施例では、図５に示すようにビデオPIDをヘッダ情報としてＴＳパケット及びPESパケットの先頭に付加して入力させる場合を示している。図５では、ＴＳパケットの先頭に３つのPIDを付加する場合と４つのPIDを付加する場合を示している。１ＴＳパケットは、１８８バイトで構成されており、８パケットに１回、シンクビットで同期を取っている。
【００３０】
また、画像データとともに出力する各識別子も各単位画像データの先頭にヘッダ情報として付加している。
【００３１】
ＴＳ１が入力されると、デマルチプレクサ部４１は、ビデオPIDをヘッダ情報として付加したＴＳパケット（画像データ）を分離し、ＴＳパーサ４４に供給する。ＴＳ２が入力されると、デマルチプレクサ部４２は、ビデオPIDをヘッダ情報として付加したPESパケット（画像データ）を分離し、PESパーサ４５に供給する。ＴＳ３が入力されると、デマルチプレクサ部４３は、ＥＳ（画像データ）を分離し、セパレートＥＳバッファ４６に供給し、PTS及びDTSを制御Ｉ／Ｆ部４７に供給する。
【００３２】
ＴＳパーサ４４は、ビデオPIDをヘッダ情報として含んだＴＳパケットが供給されると、制御Ｉ／Ｆ部４７の指示に従って、所定のＴＳパケットを抽出し、そのＴＳパケットから１又は複数のＥＳを再構成して出力する。ＴＳパーサ４４は、再構成したＥＳ（ＥＳ１）をセパレートＥＳバッファ４６に供給するとともに、PTS１とDTS１を制御Ｉ／Ｆ部４７に供給する。
【００３３】
PESパーサ４５は、ビデオPIDをヘッダ情報として含んだPESパケットが供給されると、制御Ｉ／Ｆ部４７の指示に従って、所定のPESパケットを抽出し、そのPESパケットから１又は複数のＥＳを再構成して出力する。PESパーサ４５は、再構成したＥＳ（ＥＳ２）をセパレートＥＳバッファ４６に供給するとともに、PTS２とDTS２を制御Ｉ／Ｆ部４７に供給する。
【００３４】
セパレートＥＳバッファ４６は、ＴＳパーサ４４、PESパーサ４５、及びデマルチプレクサ部４３からＥＳが供給されると、制御Ｉ／Ｆ部４７の指示に従って、ＥＳをプログラム毎（ビデオPID毎）に分けて一時的に保持する。
【００３５】
デコーダ部４８は、制御Ｉ／Ｆ部４７の指示に従って、セパレートＥＳバッファ４６から所定のＥＳを読み出す。セパレートＥＳバッファ４６に複数のＥＳが保持されている場合は、DTS（復号化開始時刻）の早い順にＥＳを読み出す。読み出されたＥＳは、フレーム又はフィールド単位で復号化される。
【００３６】
VRAM  Ｉ／Ｆ部５０は、デコーダ部４８において復号化された画像データを、プログラム（番組）毎に分けて、VRAM４９に記憶させる。
【００３７】
出力フォーマットセレクタ部５１は、制御Ｉ／Ｆ部４７の指示に従って、VRAM４９に記憶されている画像データから所定の画像データを選択し、出力する。また、画像データとともに出力される各識別子は、各単位画像データの先頭にヘッダ情報として付加される。
【００３８】
図６は、本発明のデジタル画像復号装置８の第３の構成例を示すブロック図である。第１及び第２の実施例では、ＴＳパケット及びPESパケットからＥＳを再構成する場合、それぞれ別々に再構成していたが、第３の実施例では、それらを１つにまとめ、ＴＳパケット及びPESパケットに対応した識別子により内部回路を切り替えるようにしている。
【００３９】
ＴＳ１が入力されると、デマルチプレクサ部６１は、ビデオPID、ＴＳパケット又はPESパケットを分離して、ＴＳ／PESパーサ６３に供給するとともに、ＴＳパケット及びPESパケットに対応した識別子を生成してＴＳ／PESパーサ６３に供給する。ＴＳ２が入力されると、デマルチプレクサ部６２は、ＥＳ（画像データ）を分離し、セパレートＥＳバッファ６４に供給し、PTS及びDTSを制御Ｉ／Ｆ部６５に供給する。
【００４０】
ＴＳ／PESパーサ６３は、ＴＳパケット又はPESパケットが供給されると、識別子に基づいて内部回路の切り替えを行い、制御Ｉ／Ｆ部６５の指示に従って、ＴＳパケット又はPESパケットを抽出し、そのＴＳパケット又はPESパケットから１又は複数のＥＳを再構成して出力する。ＴＳ／PESパーサ６３は、再構成したＥＳ（ＥＳ１）をセパレートＥＳバッファ６４に供給するとともに、PTS１とDTS１を制御Ｉ／Ｆ部６５に供給する。
【００４１】
セパレートＥＳバッファ６４は、ＴＳ／PESパーサ６３及びデマルチプレクサ部６２からＥＳが供給されると、制御Ｉ／Ｆ部６５の指示に従って、ＥＳをプログラム毎（ビデオPID毎）に分けて一時的に保持する。
【００４２】
デコーダ部６６は、制御Ｉ／Ｆ部６５の指示に従って、セパレートＥＳバッファ６６から所定のＥＳを読み出す。セパレートＥＳバッファ６４に複数のＥＳが保持されている場合は、DTS（復号化開始時刻）の早い順にＥＳを読み出す。読み出されたＥＳは、フレーム又はフィールド単位で復号化される。
【００４３】
VRAM  Ｉ／Ｆ部６８は、デコーダ部６６において復号化された画像データを、プログラム（番組）毎に分けて、VRAM６７に記憶させる。
【００４４】
出力フォーマットセレクタ部６９は、制御Ｉ／Ｆ部６５の指示に従って、VRAM６７に記憶されている画像データから所定の画像データを選択し、出力する。
【００４５】
図７は、本発明のデジタル画像復号装置８の第４の構成例を示すブロック図である。第３の実施例では、ＴＳパーサとPESパーサを１つにし、ＴＳパケット又はPESパケットからＥＳを再構成するために、ＴＳパケット及びPESパケットに対応した識別子に基づいて内部回路の切り替えを行っていたが、第４の実施例では、ＴＳ／PESパーサに、さらに、ＥＳパーサも加えた場合を示している。
【００４６】
ＴＳ１が入力されると、デマルチプレクサ部８１は、ビデオPID、ＴＳパケット、PESパケット、又はＥＳを分離して、ＴＳ／PES／ＥＳパーサ８２に供給するとともに、ＴＳパケット、PESパケット、及びＥＳに対応した識別子を生成してＴＳ／PES／ＥＳパーサ８２に供給する。また、デマルチプレクサ部８１は、PTS及びDTSをＴＳ／PES／ＥＳパーサ８２に供給する。
【００４７】
ＴＳ／PES／ＥＳパーサ８２は、ＴＳパケット、PESパケット、又はＥＳが供給されると、識別子に基づいて内部回路の切り替えを行い、制御Ｉ／Ｆ部８４の指示に従って、ＴＳパケット、PESパケット、又はＥＳを抽出し、そのＴＳパケット、PESパケット、又はＥＳから１又は複数のＥＳを再構成して出力する。ＴＳ／PES／ＥＳパーサ８２は、再構成したＥＳをセパレートＥＳバッファ８３に供給するとともに、PTSとDTSを制御Ｉ／Ｆ部８４に供給する。
【００４８】
セパレートＥＳバッファ８３は、ＴＳ／PES／ＥＳパーサ８２からＥＳが供給されると、制御Ｉ／Ｆ部８４の指示に従って、ＥＳをプログラム毎（ビデオPID毎）に分けて一時的に保持する。
【００４９】
デコーダ部８５は、制御Ｉ／Ｆ部８４の指示に従って、セパレートＥＳバッファ８３から所定のＥＳを読み出す。セパレートＥＳバッファ８３に複数のＥＳが保持されている場合は、DTS（復号化開始時刻）の早い順にＥＳを読み出す。読み出されたＥＳは、フレーム又はフィールド単位で復号化される。
【００５０】
VRAM  Ｉ／Ｆ部８７は、デコーダ部８５において復号化された画像データを、プログラム（番組）毎に分けて、VRAM８６に記憶させる。
【００５１】
出力フォーマットセレクタ部８８は、制御Ｉ／Ｆ部８４の指示に従って、VRAM８６に記憶されている画像データから所定の画像データを選択し、出力する。
【００５２】
尚、本明細書中において、上記処理を実行するコンピュータプログラムをユーザに提供する提供媒体は、磁気ディスク、CD-ROMなどの情報記録媒体とされる。
【００５３】
【発明の効果】
以上の如く、請求項１に記載のデジタル画像復号装置、請求項４に記載のデジタル画像復号方法、及び請求項５に記載の記録媒体によれば、供給されたトランスポート・ストリームまたはパケッタイズ・エレメンタリ・ストリームからエレメンタリ・ストリームを再構成できるようにしたので、デマルチプレクサ装置との接続に幅を持たせることが可能となる。
【図面の簡単な説明】
【図１】本発明を適用したデジタル画像復号システムの一実施の形態の構成を示すブロック図である。
【図２】本発明のデジタル画像復号装置の第１の構成例を示すブロック図である。
【図３】画像の表示形態を説明するための図である。
【図４】本発明のデジタル画像復号装置の第２の構成例を示すブロック図である。
【図５】ＴＳパケットにPIDを付加する様子を説明するための図である。
【図６】本発明のデジタル画像復号装置の第３の構成例を示すブロック図である。
【図７】本発明のデジタル画像復号装置の第４の構成例を示すブロック図である。
【図８】  MPEG２のデータ・ストリームのフォーマットを説明するための図である。
【符号の説明】
１  マイクロプロセッサ，  ２  ROM，  ３，７，９  RAM，  ４，５  フロントエンド装置，  ６  デマルチプレクサ装置，  ８  デジタル画像復号装置，  １０  表示処理装置，  １１  表示装置，  ２１，２２，２３，４１，４２，４３，６１，６２，８１  デマルチプレクサ部，  ２４，４４  ＴＳパーサ，  ２５，４５  PESパーサ，  ２６，４６，６４，８３  セパレートＥＳバッファ，２７，４７，６５，８４  制御Ｉ／Ｆ部，  ２８，４８，６６，８５  デコーダ部，  ２９，４９，６７，８６  VRAM，  ３０，５０，６８，８７  VRAM Ｉ／Ｆ部，  ３１，５１，６９，８８  出力フォーマットセレクタ部，  ６３  ＴＳ／PESパーサ，  ８２  ＴＳ／PES／ＥＳパーサ
【図１】
0003965539.tif 000002
【図２】
0003965539.tif 000003
【図３】
0003965539.tif 000004
【図４】
0003965539.tif 000005
【図５】
0003965539.tif 000006
【図６】
0003965539.tif 000007
【図７】
0003965539.tif 000008
【図８】
0003965539.tif 000009